(57)【要約】      （修正有）【課題】コンパクトな商品形態にできると共に、既設のレンジフードに簡単に取り付けられ、効率よく調理ガスを吸引できるレンジフード用整流カバーを提供する。【解決手段】レンジフード用整流カバーは、可撓性を有する防炎性材料からなる帯状部材４ａと、帯状部材４ａの長さを調整する調整機構４ｂとを有するカバー部材４と、起点部３ａから直行する２方向に延びる延出部３ｂと、起点部から前記２方向と垂直な方向に延在するとともにカバー部材４を保持する保持部３ｃとを有する４個のコーナー部材３と、コーナー部材３をレンジフードの下面側の４隅に着脱可能に取り付けるために、延出部３ｂに沿って配置したマグネット５とを備えている。かかる構成により、効率よく調理ガスを吸引できるレンジフード用整流カバーを様々なサイズの既存のレンジフードに容易に取り付けることができ、かつ、コンパクトな商品形態にすることができる。【選択図】図３
0003229863.tif 000002
【実用新案登録請求の範囲】
【請求項１】
レンジフードに取り付けて用いるレンジフード用整流カバーであって、
可撓性を有する防炎性材料からなる帯状部材と、前記帯状部材の長さを調整する調整機構とを有するカバー部材と、
起点部からＸ方向及びＹ方向に延びる延出部と、前記起点部からＺ方向に延在するとともに前記カバー部材を保持する保持部とを有する４個のコーナー部材と、
前記コーナー部材を前記レンジフードの下面側の４隅に着脱可能に取り付けるために、前記延出部に沿って配置したマグネットと、
を備えているレンジフード用整流カバー。
【請求項２】
前記帯状部材は、有色もしくは半透明の合成樹脂材料またはガラス繊維からなり、
前記コーナー部材の延出部は、断面Ｌ字状のアングル部材であり、
前記コーナー部材の保持部は、フック状に形成されて、一端が前記起点部で前記延出部と結合しており、
前記マグネットは、前記アングル部材の表面に貼着されていることを特徴とする請求項１に記載のレンジフード用整流カバー。
【請求項３】
前記コーナー部材の延出部と前記保持部は共に合成樹脂による一体成型、もしくは別体を結合することにより一体化されていることを特徴とする請求項１または２に記載のレンジフード用整流カバー。
【請求項４】
前記帯状部材の短辺方向の幅は、３０ｍｍ〜１４０ｍｍである請求項１〜３のいずれか１項に記載のレンジフード用整流カバー。
【請求項５】
前記帯状部材は、防汚剤が形成された部分と形成されない部分とが存在することを特徴とする請求項１〜４のいずれか１項に記載のレンジフード用整流カバー。
【考案の詳細な説明】
【考案の詳細な説明】
【技術分野】
【０００１】  本考案は、台所等での調理により発生する油煙や水蒸気、臭気などの調理ガスの拡散を防止するために、レンジフードに取り付けて用いるレンジフード用整流カバーに関する。
【背景技術】
【０００２】  レンジフードは、フード本体内の排気ファンにより、油煙、水蒸気、臭気等を含む調理ガスを吸引し、排気ダクトを通して屋外に排出する。レンジフードは調理台の直上の所定高さの位置に配置され、その下端開口部は下方に開口した吸引口となっている。防災上の理由から、ガスコンロ等の調理機器に対して所定の距離を離して、レンジフードを設置する必要がある。このため、調理によって生じる調理ガスの一部が、レンジフードの吸引口に誘導されず、キッチンやダイニングルーム等の室内に拡散することが避けられない。そこで、特許文献１、２には、レンジフードの下端開口部の左右に、調理ガスの拡散防止用のカバー（誘導板、パネルガード）を格納可能に取り付けたものが提案されている。【０００３】  特許文献１においては、レンジフードの左右の天袋内にパネルガードを収容し、パネルガードをレンジフードの左右の縁よりも下方に引き出して使用している。下方に引き出された左右のパネルガードによって、調理ガスを左右に拡散させずにレンジフードの下端開口部に導くようにしている。特許文献２においては、レンジフードの下端開口部の左右に、誘導板が配置されている。左右の誘導板は、それぞれ一端を中心として、上下に旋回可能に取り付けられている。左右の誘導板は、下端開口面に沿った水平な収納位置から下方に旋回させて垂直な姿勢とし、この状態で使用される。下方に倒した左右の誘導板によって、調理ガスを左右に拡散させずにレンジフードの下端開口部に導くようにしている。【０００４】  ところが、レンジフードに格納式のカバーを取り付ける場合には、カバー引き出し機構、カバー旋回機構の取付け工事が必要になるため、既設のレンジフードに対して簡単に、調理ガスの拡散防止用のカバーを取り付けることができない。オープンキッチン、アイランドキッチンなどにおいては、天井取付け型のレンジフードが用いられ、左右に天袋が配置されない場合がある。このような場合には、特許文献１に記載の格納式のパネルガードを取り付けることができない。また、油などの汚れが付着した場合に、格納式のカバーは簡単に取り外すことができないので、カバーの清掃を簡単に行えないという問題もある。【０００５】  これに加えて、レンジフードの前方への調理ガスの拡散を防止するために、レンジフードの下端開口部の前縁部分にも前側カバーを取り付けることが考えられる。しかし、この場合には、レンジフードの下方において調理台に向かって調理をしている人の頭などに、前側カバーが当たるおそれがある。また、レンジフードに取り付けた前側カバーが邪魔になって調理等の作業に支障を来すといった問題もある。【０００６】  このような問題を解決するために、本考案者は、特許文献３に記載のレンジフード用整流カバーを考案した。かかるレンジフード用整流カバーは、前後カバーと左右カバーがそれぞれ柔軟で透明な防炎性材料からなるカバー本体板と、その一方の長辺縁に沿って配置したカバー本体板補強枠と、カバー本体板補強枠をレンジフードの下端の外周縁部に取り付けるためのマグネットシートを備える。この考案によれば、特許文献１，２のような格納式のカバーとは異なり、取付け工事が不要であり、必要に応じて、簡単に��ンジフードに取り付けて使用でき、清掃も容易である。レンジフードの下端開口部の前側に取り付けた場合に、調理台の前側に立って調理等をしている人の頭等が当たっても安全であり、調理等の作業の支障にもならないので、レンジフードの前側への調理ガスの拡散も防止できる。
【先行技術文献】
【特許文献】
【０００７】
【特許文献１】特開２００９−１８０４０７号公報
【特許文献２】特開平８−１４５４２９号公報
【特許文献３】実用新案登録第３２１９０２２号公報
【考案の概要】
【考案が解決しようとする課題】
【０００８】  しかしながら、特許文献３に記載のレンジフード用整流カバーは、カバー本体板補強枠の長さがレンジフードの長手方向の長さ（９０ｃｍ前後）と同等の長さになるため、カバー本体板補強枠を含むレンジフード用整流カバーのセットの全体寸法が長くなり、セットを流通販売する際の取り扱いが不便になったり、配送する場合の送料が高くなったりするといった課題がある。【０００９】  また、カバー本体板補強枠の長さが一定であることから、サイズの異なるレンジフードに対して取り付けできなくなり、各種サイズのレンジフードに対応するためには、様々な長さのカバー本体板補強枠を用意する必要がある。さらに、レンジフードの機種によっては、下面側にスイッチ等の操作ボタンが配設された製品があり、特許文献３に記載のレンジフード用整流カバーをうまく取り付けられなかったり、取り付けられたとしてもレンジフードの操作に支障を来たしたりする場合がある。【００１０】  本考案の目的は、このような点に鑑みて、コンパクトな商品形態にできると共に、いかなるサイズのレンジフードであっても、面倒な取付け工事などを必要とすることなく、既設のレンジフードに簡単に取り付けられ、効率よく調理ガスを吸引できるレンジフード用整流カバーを提供することにある。
【課題を解決するための手段】
【００１１】  かかる目的を達成するために、本考案は以下のような特徴を有する。
すなわち、本考案のレンジフード用整流カバーは、レンジフードに取り付けて用いるレンジフード用整流カバーであって、可撓性を有する防炎性材料からなる帯状部材と、帯状部材の長さを調整する調整機構とを有するカバー部材と、起点部からＸ方向及びＹ方向に延びる延出部と、起点部からＺ方向に延在するとともにカバー部材を保持する保持部とを有して互いに独立した４個のコーナー部材と、コーナー部材をレンジフードの下面側の４隅に着脱可能に取り付けるために、延出部に沿って配置したマグネットと、を備えている。【００１２】  本考案のレンジフード用整流カバーは、可撓性を有する帯状部材とその長さを調整する調整機構をカバー部材と、カバー部材を保持する保持部とを有する互いに独立した４個のコーナー部材と、コーナー部材をレンジフードの下面側の４隅に着脱可能に取り付けるマグネットを備える構成である。このような構成により、レンジフードの長手方向の長さの構成部品を必要とせず、レンジフード用整流カバーをパッケージ化したとき極めてコンパクトな商品形態とすることができる。さらに、４個のコーナー部材の配置間隔とカバー部材の長さを適宜調整することで、あらゆるサイズのレンジフードに対応することができる。
加えて、本考案のレンジフード用整流カバーは、磁力により既設のレンジフードの下端開口部の外周縁部に、着脱可能に取り付けて使用されるので、従来の格納式のカバー等とは異なり、取付け工事が不要であり、必要に応じて、簡単にレンジフードに取り付けて使用できる。また、油煙などの調理ガス等によって帯状部材が汚れたとしても、帯状部材を新しいものに容易に取り換えられるので、あえて整流カバーを清掃する必要がなくなる。【００１３】  本考案において、帯状部材は、調理ガス等による汚れ具合を容易に視認できるために、有色もしくは半透明の合成樹脂材料またはガラス繊維から形成することが望ましい。【００１４】  コーナー部材は、コンパクトな構成で所望の強度を確保できる観点から、断面Ｌ字状のアングル部材からなる延出部と、この延出部に結合されるフック状の保持部を有し、マグネットがアングル部材の表面に貼着されていることが望ましい。【００１５】  本考案において、コーナー部材の延出部と保持部は、共に合成樹脂による一体成型、もしくは別体を結合することにより一体化されていることが望ましい。これにより、軽量化や製造コストの廉価化を図ることができる。【００１６】  本考案において、帯状部材の短辺方向の幅は３０ｍｍ〜１４０ｍｍとすることが望ましい。これにより、本考案のレンジフード用整流カバーをレンジフードに取り付けたとき、レンジフードの周囲の気流を効率よく発生させることができ、周囲に拡散する調理ガスを効果的に捕集できる。【００１７】  本考案において、帯状部材は、防汚剤が形成された部分と形成されない部分とが存在することが望ましい。本考案のレンジフード用整流カバーをレンジフードに取り付けて使用し続けた場合、調理ガス（特に油煙）の影響で変色したり油が付着したりして帯状部材が劣化するが、上記構成とすることにより、防汚剤が形成された部分と形成されない部分との色の違いが顕著になり、帯状部材の取り換え時期を容易に認識することができる。
【図面の簡単な説明】
【００１８】
【図１】  本考案の実施形態に係るレンジフード用整流カバーの使用例を示す斜視図である。
【図２】  図１の概略縦断面図である。
【図３】  本考案の実施形態に係るレンジフード用整流カバーのコーナー部材にカバー部材を組付けた状態を示す説明図である。
【図４】  本考案のコーナー部材を別の角度から見たときの示す斜視図である。
【図５】  レンジフードに吸引される調理ガスの流れを示す説明図である。
【図６】  本考案の実施形態に係る帯状部材の正面図である。
【図７】  本考案に係る他の実施形態に係るコーナー部材を示す説明図である。
【考案を実施するための形態】
【００１９】  以下、図面に基づいて本考案の実施の形態を説明する。図１はレンジフード用整流カバーを、オープンキッチンやアイランド型キッチンのレンジフードに用いる場合の説明図である。図２はレンジフードに取り付けたレンジフード用整流カバーを示す概略断面図である。
【００２０】  これらの図に示すように、オープンキッチンあるいはアイランド型キッチンにおいて、調理台１０のコンロ１１の真上には、例えば、天井取付け型のレンジフード１が配置されている。レンジフード１は上側フード部分１ａと、この下端に水平に一体化された扁平な直方体形状の下側フード部分１ｂとを備えている。下側フード部分１ｂにおける矩形の下端開口部１ｃの中央部分には、水平に矩形輪郭のフード整流板１ｄが取り付けられており、フード整流板１ｄの周囲が矩形枠状に開口した吸引口１ｅとなっている。下側フード部分１ｂの下端開口部１ｃにおける四方の外周縁部（前後、左右の外周縁部）の下面には、本考案の実施形態にかかるレンジフード用整流カバー２が取り付けられている。
【００２１】  図３は、本考案の実施形態に係るレンジフード用整流カバー２を構成する４個のコーナー部材３にカバー部材４を巻回するように組付けた状態を示す説明図である。このレンジフード用整流カバー２は、カバー部材４と、カバー部材４を保持しつつレンジフード１の４隅に取り付けられるコーナー部材３と、コーナー部材３をレンジフードの下面側の４隅に着脱可能に取り付けるためのマグネット５を備えている。
【００２２】  カバー部材４は、可撓性を有する防炎性材料からなる帯状部材４ａと、帯状部材４ａの長さを調整する調整機構４ｂとを有している。帯状部材４ａは、容易に折り曲げたり畳んだりすることができる程度の厚さであり、１ｍｍ以下の厚さとすることが望ましい。また、公益財団法人日本防炎協会が認定する防炎製品や日本化学繊維協会が認定する防炎・難燃性素材等で形成することが望ましい。例えば、帯状部材４ａは、ナイロン、ビニロン、ポリエチレン等の合成樹脂材料またはガラス繊維製の織布または不織布からなり、白色やオフホワイトなどの有色もしくは半透明の素材を用いることができる。また、調整機構４ｂは、バックルやアジャスターなど帯状部材４ａの長さを調整できる部品であれば特に構造を問わない。この調整機構４ｂにより帯状部材４ａの長さを調整することで、緩みなく帯状部材４ａを張設することができる。
【００２３】  図４は、２つのコーナー部材３を別の角度から見たときの示す斜視図である。コーナー部材３は、起点部３ａからＸ方向及びＹ方向に延びる延出部３ｂと、起点部３ａからＺ方向に延在するとともにカバー部材４を保持する保持部３ｃとを有しており、このコーナー部材３がレンジフードの下面側の４隅に着脱可能にそれぞれ取り付けられる。本実施形態では、延出部３ｂはアルミやステンレスなどの金属製のアングル部材（断面Ｌ字形状の枠材）からなり、Ｘ方向に延びる第１の延出部３ｂｘとＹ方向に延びる第２の延出部３ｂｙが起点部３ａを境に略直角に屈折するように形成されている。さらに、コーナー部材３は、起点部３ａからＺ方向に延在する保持部３ｃが有している。この保持部３ｃは、例えば金属製の棒状部材からなり、フック状に形成されて、一端が起点部３ａで延出部３ｂと結合している。ここで、フック状とは、一方側から他方側に延びている部分の先端側が一方側に曲げ返されている形状をいい、Ｕ字形状、Ｊ字形状、鉤型状等も含む。また、保持部３ｃは０ｍｍ〜３ｍｍ程度の間隙３ｓを有し、この間隙３ｓに帯状部材４ａが挿入され、下端部の内縁で落下しないように保持される。
【００２４】  また、図４に示すように、コーナー部材３の延出部３ｂの外側表面（図示上側）には、ほぼ同じ幅のマグネット５が接着固定されている。第１の延出部３ｂｘと第２の延出部３ｂｙはそれぞれＸ方向とＹ方向に延出してＬ字状を成すため、本例において、マグネット５もＬ字状を成している。なお、マグネット５の形状は本例に限定されず、例えば、円形や多角形の複数のマグネット５を等間隔に配設してもよい。また、延出部３ｂに凹部を予め形成して、この凹部に埋設してもよい。
【００２５】  以上のように構成された実施形態に係るレンジフード用整流カバー２をレンジフード１に取り付ける場合、まず、４個のコーナー部材３をレンジフードの下面側の４隅にそれぞれマグネット５の磁力を利用して取り付ける。次いで、帯状部材４ａが各コーナー部材３の保持部３ｃに保持されるように巻回し、最後に調整機構４ｂで帯状部材４ａの長さを弛みがないように調整し、取り付けが完了する。
【００２６】  ここで、帯状部材４ａの短辺方向の長さ、すなわち、レンジフード１の下端開口部の外周縁部から下方へ垂下している長さ寸法は、３０ｍｍ〜１４０ｍｍとすることが望ましい。図５を参照して、この点について説明する。
【００２７】  近年のレンジフードは、開口部を含む部分の厚さが５ｃｍ前後と比較的薄いフラット型レンジフードが増加している。図５（ｂ）に示すように、フラット型のレンジフード１の下で調理した場合、調理ガスがレンジフード１の外周において、その下端開口部の吸引口よりも上方に達した場合、そのような調理ガスを十分に吸引することができず、調理ガスがキッチンやリビングルームへ移動してしまうことがある。
【００２８】  これに対して、本例のレンジフード用整流カバー２をフラット型のレンジフード１に取り付けると、図５（ａ）に示すように、レンジファンの稼動に伴って、レンジフード１の下端開口部の周囲において、下向きの気流が生じる。下端開口部の吸引口１ｅよりも上側の雰囲気は、この下向きの気流とともに吸引口１ｅに引き寄せられ、レンジフード１内を通って、屋外へ排気される。
【００２９】  本考案者は、本例の帯状部材の短辺の長さと、レンジフード用整流カバー２を取り付けたレンジフードのガスの捕集性との関係について実験を行った。この実験では、帯状部材４ａの長さＬを１０ｍｍから１７０ｍｍまで１０ｍｍずつ長くしていき、地点ａ〜地点ｅにおいてタバコの煙がレンジフードの吸引口に誘導されるか否かを目視により観察したものである。実験結果を表１に示す。
【００３０】
【表１】
0003229863.tif 000003
【００３１】  表１において、「○」は煙が完全に吸引口に吸引されたとき、「△」は大半の煙が吸引口に吸引されたとき、「×」は半分以上の煙が吸引口に吸引されずに他所へ流出したときをそれぞれ目視評価した結果である。
【００３２】  この評価結果からわかるように、帯状部材４ａの長さＬが短すぎても長すぎても十分な捕集効果を奏することができず、３０ｍｍ〜１４０ｍｍの長さにすることが好ましく、６０ｍｍから１１０ｍｍの長さであることが一層より好ましい。
【００３３】  本考案において、帯状部材４ａは、防汚剤が形成された部分と形成されない部分とが存在することが望ましい。例えば、図６に示すように、帯状部材４ａに予め防汚剤で文字や図形などを形成しておく。形成の仕方は、所望の図形等をマスキングしてから防汚剤をスプレーで吹き付けたり、刷毛塗したり、防汚剤テープを貼り付けたりすることで形成できる。防汚剤としては、防汚機能もしく撥油機能を有していれば特に制限はないが、例えば、公知のケイ素系化合物、フッ素系化合物等が挙げられる。フッ素含有ケイ素化合物としては、例えば、信越化学工業（株）製「Ｘ−７１−１９５」、「ＫＰ−８０１」、「ＫＹ−１３０」、ダイキン工業（株）製「オプツールＤＳＸ−Ｅ」、「オプツールＵＦ５０３」等を用いることができる。これらの防汚剤は、塗布後の乾燥状態で透明または白色半透明のものが多く、帯状部材４ａの使用初期の時点では、防汚剤で描かれた文字や図形は目立たないが、レンジフードの下で幾度となく調理を繰り返すことで、油煙、水蒸気、臭気等が徐々に帯状部材４ａに付着してくる。そのため、防汚剤が形成されていない部分は変色するが、防汚剤が形成された部分（文字や図形を描いた部分）は変色せずに、元々の帯状部材４ａの色が維持される。これにより、使用者は帯状部材４ａの取り換え時期を容易に認識することができる。
【００３４】  以上、本考案を実施形態に基づいて説明したが、本考案は上記の実施形態に限定されるものではなく、その趣旨を逸脱しない範囲において実施することが可能である。
【００３５】  例えば、上記実施形態において、コーナー部材３の延出部３ｂと保持部３ｃはそれぞれ金属で形成した例を示したが、延出部３ｂと保持部ｃを合成樹脂により形成してもよい。例えば、図７（ａ）に示すように、コーナー部材３は延出部３ｂと保持部３ｃが合成樹脂により一体成型された樹脂成型品とすることができる。本例の保持部３ｃはフック形状を呈し、下端部でＵ字状に湾曲した一部がクリアランスなく弾性接触して、開放端側がテーパー上に開口している。また、図７（ｂ）に示すように、合成樹脂によりそれぞれ別体で形成した延出部３ｂと保持部３ｃを、接着、螺合、嵌合などの手段で一体化してもよい。
なお、図７に示す実施形態において、マグネット（不図示）は、延出部３ｂに貼着してもよいし延出部３ｂと一体成型してもよい。
このようにコーナー部材３を一体成型することで、軽量化や製造コストの廉価化を図ることができる。
【符号の説明】
【００３６】１      レンジフード
１ａ    上側フード部分
１ｂ    下側フード部分
１ｃ    下端開口部
１ｅ    吸引口
２      レンジフード用整流カバー
３      コーナー部材
３ａ    起点部
３ｂ    延出部
３ｃ    保持部
３ｓ    間隙
４      カバー部材
４ａ    帯状部材
４ｂ    調整機構
５      マグネット
【図１】
0003229863.tif 000004
【図２】
0003229863.tif 000005
【図３】
0003229863.tif 000006
【図４】
0003229863.tif 000007
【図５】
0003229863.tif 000008
【図６】
0003229863.tif 000009
【図７】
0003229863.tif 000010